(57)【要約】      （修正有）【課題】各部材に対する高い加工精度を必要とせず、かつ床材の沈み込みにも適切に対応できるようにした、改良された床材の固定構造を得る。【解決手段】挿入部１３を有する固定用部材１０が床下地１に固定される。端辺に連結用凹実２１を形成しかつ裏面に緩衝材３０を貼り付けた床材２０ａが、凹実２１内に固定用部材１０の挿入部１３を挿入した状態で床下地１へ固定されている。固定用部材１０の挿入部１３は、床材２０に形成した連結用凹実２１の下面側２２では接触し上面側２３では非接触状態とされている。【選択図】図２
2008038544.tif 000002
【特許請求の範囲】
【請求項１】
挿入部を有する固定用部材が床下地に固定されており、端辺に連結用凹実を形成した床材が該凹実内に前記固定用部材の挿入部を挿入することによって床下地へ固定されている床材の床下地への固定構造であって、
前記固定用部材は、その挿入部が前記床材に形成した連結用凹実の下面側では接触し上面側では非接触状態とされており、かつ固定した床材の端辺であって前記連結用凹実より上位の領域は併置した床材の端辺に当接していることを特徴とする床材の床下地への固定構造。
【請求項２】
前記床材は、端辺に形成した連結用凹実の下面および上面が端辺側に向けて拡開する方向に傾斜した面とされている床材であることを特徴とする請求項１に記載の床材の床下地への固定構造。
【請求項３】
前記床材は、裏面に緩衝材を貼着した床材であることを特徴とする請求項１または２に記載の床材の床下地への固定構造。
【請求項４】
前記固定用部材は左右一対の挿入部を有しており、前記左右一対の挿入部を併置する床材の対向する端辺間に形成される連結用凹実にそれぞれ挿入した状態で、併置する床材間に前記固定用部材が介在していることを特徴とする請求項１ないし３のいずれかに記載の床材の床下地への固定構造。
【発明の詳細な説明】
【技術分野】
【０００１】
本発明は、床材の床下地への固定構造に関する。
【背景技術】
【０００２】
床下地の上に床材を固定して、いわゆるフローリングとすることは知られている。床下地への床材の固定には接着剤が多く用いられるが、接着剤の養生に長い時間を必要とすることから、施工時間の短縮化が１つの課題となっている。接着剤を用いない床材の固定構造として、特許文献１や２に記載のように、床下地に固定用部材を固定し、該固定用部材を利用して床材を床下地に固定する構造が提案されている。図４はその一例を示しており、例えばコンクリートである床下地１の上に配置された根太２に沿って固定用部材３が固定され、床材５は端辺に形成した連結用凹実６内に前記固定用部材３の一部である水平方向の挿入部４を挿入することによって、床下地１（図示の例では、根太２）に固定されている。床下地１に直接コンクリートビス等を用いて固定用部材３を固定する場合もある。
【０００３】
この形態の床材の固定構造では、床材の固定に接着剤を使用しないことから、施工時間の短縮化が期待できる。また、床材同士の接合部がいわゆる本実接合でないことから、木質材の摺接に起因する床鳴りも生じない。
【０００４】
【特許文献１】特開平７−１８９４５１号公報
【特許文献２】実開平６−１０４９１号公報
【発明の開示】
【発明が解決しようとする課題】
【０００５】
図４に示すように、従来のこの形態による床材の固定構造では、床下地側に固定する固定用部材３の水平方向の挿入部４の厚さと、固定しようとする床材５の端辺に形成される連結用凹実６の上下方向の溝幅はほぼ同じであり、前記挿入部４あるいは連結用凹実６に高い加工精度が求められる。
【０００６】
また、固定した状態で水平方向の挿入部４の上下面の双方が、床材５の連結用凹実６の上下の面に接する状態となっており、そのために堅固に固定状態が得られるが、固定された状態で床材には上下方向の自由度がないことから、例えば裏面に弾性を有する緩衝材を備えた床材を固定した場合に、緩衝材の沈み込みを吸収する余地がなく、緩衝材の機能が十分に生かされない恐れがある。
【０００７】
さらに、連結用凹実６は床材の面方向に断面コ字状に形成されているので、連結用凹実６内に、固定用部材３の水平方向に伸びる挿入部４を嵌合状態に挿入していく作業も容易でない。
【０００８】
本発明は、上記のような事情に鑑みてなされたものであり、床下地に固定した固定用部材を用いて床材を床下地に固定するようにした床材の固定構造において、各部材に対する高い加工精度を必要とせず、かつ床材の沈み込みにも適切に対応できるようにした、改良された床材の固定構造を提供することを目的とする。
【課題を解決するための手段】
【０００９】
本発明による床材の床下地への固定構造は、挿入部を有する固定用部材が床下地に固定されており、端辺に連結用凹実を形成した床材が該凹実内に前記固定用部材の挿入部を挿入することによって床下地へ固定されている床材の床下地への固定構造であって、前記固定用部材は、その挿入部が前記床材に形成した連結用凹実の下面側では接触し上面側では非接触状態とされており、かつ固定した床材の端辺であって前記連結用凹実より上位の領域は併置した床材の端辺に当接していることを特徴とする。
【００１０】
上記の固定構造では、コンクリートビス等で床下地に固定した固定用部材を利用して床材を床下地に固定することができ、接着剤の使用を必要としない。固定用部材に対する床材の固定態様は、いわゆる嵌合接合による固定態様ではなく、床材に形成した連結用凹実に入り込んだ前記固定用部材の挿入部が、連結用凹実の下面側でのみ接触して係合する態様であり、この態様は、嵌合接合を形成する固定構造と比較して、各部材の加工精度に高い厳密を要せず、かつ組み付け作業がきわめて容易である。
【００１１】
さらに、この固定態様は、床材の浮き上がりは完全に阻止できる一方で、床材が下方へわずかに沈み込むのも許容する。そのために、床材として、裏面に弾性を備えた緩衝材を貼着した床材を採用する場合でも、緩衝材の沈み込みを効果的に吸収することができ、歩行感の良好な床材の床下地への固定構造が得られる。
【００１２】
本発明による固定構造において、床材の端辺に形成する連結用凹実の断面形状は、固定時に、固定用部材の前記挿入部が連結用凹実の上面側では非接触状態となる形状と大きさであることを条件に任意であり、断面コ字状の凹実であってもよい。しかし、好ましくは、端辺に形成した連結用凹実の下面および上面が端辺側に向けて拡開する方向に傾斜した面として形成される。この形状とすることにより、固定用部材と床材との組み付け作業がきわめて容易となる。
【００１３】
前記固定用部材は、１つの床材の端辺に形成した連結用凹溝に入り込む１つの挿入部を備える形態のものであってもよく、この形態の固定用部材は、貼り出し用の固定用部材として主に用いられる。固定用部材は左右一対の挿入部を有していてもよく、この場合には、前記左右一対の挿入部を併置する床材の対向する端辺間に形成される連結用凹実にそれぞれ挿入した状態で、併置する床材間に介在するようにして使用される。
【発明の効果】
【００１４】
本発明による床材の床下地への固定構造によれば、各部材に対する高い加工精度を必要とせず、かつ床材の沈み込みにも適切に対応できるようにした、改良された床材の固定構造が得られる。
【発明を実施するための最良の形態】
【００１５】
以下、図面を参照しながら、本発明を実施の形態により説明する。図１は本発明による床材の床下地への固定構造の第１の形態を説明する図であり、図２はその第２の固定構造を説明する図である。図３は前記固定構造で用いる固定用部材の２つの例を示す斜視図である。
【００１６】
図１ａにおいて、１０は第１の固定用部材であり、２０は床材である。第１の固定用部材１０は、図３ａに示すように、基板１１と、基板１１から立設する垂直板１２と、垂直板１２の上端から左右方向に水平に延びる一対の右挿入部１３ａと左挿入部１３ｂとからなる挿入部１３を備える。基板１１にはビス孔１４が適数形成されている。第１の固定用部材１０は、アルミのような金属材料、ＡＢＳ樹脂のような樹脂材料で作られる。第１の固定用部材１０の長さは任意であり、固定しようとする床材２０の長辺側の端辺長に等しいか、それより長くてもまた短くてもよい。長辺側の端辺長より短い長さの第１の固定用部材１０を用いる場合には、一枚の床材２０に対して１個以上の第１の固定用部材１０が用いられる。
【００１７】
床材２０は、少なくとも長辺側の端辺に連結用凹実２１が形成されている。この例において、連結用凹実２１は、下面２２および上面２３は端辺側に向けて拡開する方向に傾斜した面とされているが、断面コ字状であっても差し支えない。また、図示の例では、床材２０は合板基材２４の表面に化粧材２５を積層した形状とされるが、ＭＤＦ等の加工木質材を基材とする床材であってもよく、無垢の床材であってもよい。
【００１８】
床材２０の端面での連結用凹実２１よりも下位の領域は、わずかに内側に向けて切り落とされている。そのために、図１ａに示すように、２枚の床材２０、２０を併置したときに、双方の床材２０、２０の端面における連結用凹実２１よりも上位の領域は互いに当接した領域２６となるが、連結用凹実２１よりも下位の領域には前記した第１の固定用部材１０の垂直板１２が入り込むための隙間２７が形成される。さらに、床材２０、２０の裏面であって、連結用凹実２１の下方領域には、第１の固定用部材１０の前記基板１１が入り込むことのできる切り欠き２８，２８がそれぞれ形成されている。
【００１９】
床材２０の短辺側の形状は任意であり、実接合のための凹凸実を形成してもよく、短辺側に凹溝のみを形成し、併置する床材の対向する短辺に形成した凹溝内に、長さの短い前記第１の固定用部材１０を入れ込むようにしてもよい。短辺側の端面を斜面あるいは垂直面として単なる突き付け接合を行うようにしてもよい。
【００２０】
施工に際しては、例えばコンクリートスラブである床下地１の基準となる位置に第１の固定用部材１０を置き、コンクリートビス７等を用いて、第１の固定用部材１０を床下地１に固定する。固定された第１の固定用部材１０の前記挿入部１３（右挿入部１３ａと左挿入部１３ｂ）を、床材２０、２０の端辺に形成した連結用凹実２１内に差し込むようにして、床材２０、２０を床下地１の上に配置する。その状態が図１ａに示される。
【００２１】
第１の固定用部材１０を設計するに際して、第１の固定用部材１０の垂直部１２の高さおよび挿入部１３の横幅を、図１ａに示す固定状態において、挿入部１３が床材２０に形成した連結用凹実２１の下面側２２では接触し、上面側２３では非接触状態となるように設計する。それにより、左右の床材２０，２０は、対向する端辺の連結用凹実２１，２１より上位の領域２６が互いに当接した状態で、かつ連結用凹実２１の挿入部１３より上位には隙間２９のある状態で、それぞれ固定される。従って、固定後に、外から固定用部材１０が見えることはない。
【００２２】
固定された床材２０の他方の端辺側に形成した連結用凹実２１内に、別の第１の固定用部材１０の挿入部１３（右挿入部１３ａまたは左挿入部１３ｂ）を差し込んだ状態とし、該第１の固定用部材１０を床下地１に固定する。以下、それを繰り返すことにより、所要面積のフローリングが床下地１の上に形成される。
【００２３】
図１ｂは、フローリングの貼り出し側を示している。ここでは、図３ｂに示す第２の固定用部材（貼り出し用の固定用部材）１０ａが使用される。この第２の固定用部材１０ａは、挿入部１３が一方側の挿入部（図示のものでは右右挿入部１３ａ）のみで形成されている点で、第１の固定用部材１０と相違している。他の部材は基本的に固定用部材１０のものと同じであり、同じ符号を付している。最初に、床下地１の辺近傍にこの第２の固定用部材１０ａを固定し、それを始点として順次側方に（図１ｂでは右側に）床材２０の固定を行っていくことにより、所要面積のフローリングが床下地１の上に形成される。
【００２４】
図２ａ，ｂは第２の形態の固定構造を示しており、ここでは、床材として、裏面に弾性を有する緩衝材３０を貼り付けた床材２０ａを用いている。第１と第２の固定用部材１０，１０ａを含む他の構成は、図１ａ，ｂに示した第１の形態の固定構造と同じであり、同じ符号を付して説明は省略する。この固定構造では、歩行者等の上載荷重により緩衝材３０が圧縮されて床材２０ａがその分だけ沈み込むが、連結用凹実２１の挿入部１３より上位に隙間２９が形成されているために、その沈み込みはその隙間２９で吸収される。そのために、緩衝材３０の機能は効果的に発揮され、歩行感の高いフローリングが得られる。
【００２５】
また、この形態の床材２０ａでは、緩衝材３０が圧縮変形することで、第１および第２の固定用部材１０，１０ａの基板１１を床材２０ａの裏面に収容することができるので、前記した切り欠き２８を床材２０ａの裏面に形成する必要もない。
【図面の簡単な説明】
【００２６】
【図１】本発明による床材の床下地への固定構造の第１の形態を説明する図であり、図１ａは２枚の床材を併置し、その間に固定用部材が介在している状態を、図１ｂは貼り出し部の状態を示している。
【図２】本発明による床材の床下地への固定構造の第２の形態を説明する図であり、図２ａは２枚の床材を併置し、その間に固定用部材が介在している状態を、図２ｂは貼り出し部の状態を示している。
【図３】本発明で用いる固定用部材を説明する斜視図であり、図３ａは第１の固定用部材を、図３ｂは第２の固定用部材を示している。
【図４】従来の床材の固定構造を説明するための図。
【符号の説明】
【００２７】
１…床下地（コンクリートスラブ）、１０…第１の固定用部材、１０ａ…第２の固定用部材、１１…基板、１２…垂直板、１３…挿入部、１４…ビス孔、２０、２０ａ…床材、２１…連結用凹実、２２…連結用凹実の下面、２３…連結用凹実の上面、２６…当接した領域、２７…隙間、２８…切り欠き、２９…隙間、３０…緩衝材
【図１】
2008038544.tif 000003
【図２】
2008038544.tif 000004
【図３】
2008038544.tif 000005
【図４】
2008038544.tif 000006